(57)【要約】【課題】  本発明は、複数の認証対象の中から、簡易な操作で的確に任意の認証対象を選択して認証処理を行うことができる認証装置及び認証方法を実現する。【解決手段】  カードリーダ部３に載置された複数の非接触型ＩＣカードＣＡからそれぞれ登録認証情報ＲＩを読み出すと共に、ユーザの認証指ＦＧから静脈画像ＦＰを取得し、当該静脈画像ＦＰに対してパターン抽出処理を施して個人認証情報ＰＩを生成し、各登録認証情報ＲＩを順位付けして順次個人認証情報ＰＩと照合し、登録認証情報ＲＩと個人認証情報ＰＩとが一致した非接触型ＩＣカードＣＡのカード番号ＣＮを外部に通知する。これによりユーザは、任意の非接触型ＩＣカードＣＡに対応する認証指ＦＧを選択するだけで、当該任意の非接触型ＩＣカードＣＡについて認証を行うことができる。【選択図】        図２
2007034521.tif 000002
【特許請求の範囲】
【請求項１】
登録ユーザの生体における同一種類かつ異なる部位からそれぞれ得られる生体情報に基づく、各認証対象個別の登録認証情報を取得する登録認証情報取得手段と、
認証を行おうとするユーザの生体における、当該ユーザが選択した上記部位から生体情報を取得し、当該取得した生体情報に基づく個人認証情報を生成する個人認証情報生成手段と、
取得した複数の上記登録認証情報に対して照合順位を割り当て、当該照合順位に従って各登録認証情報を順次個人認証情報と照合する照合手段と、
上記登録認証情報が上記個人認証情報と一致した上記認証対象を、認証に成功した認証対象として外部に通知する通知手段と
を具えることを特徴とする認証装置。
【請求項２】
上記登録認証情報は、対応する上記認証対象にそれぞれ記憶されている
ことを特徴とする請求項１に記載の認証装置。
【請求項３】
上記登録認証情報は、認証情報記憶手段に一括して記憶されている
ことを特徴とする請求項１に記載の認証装置。
【請求項４】
登録ユーザの生体における同一種類かつ異なる部位からそれぞれ得られる生体情報に基づく、各認証対象個別の登録認証情報を取得する登録認証情報取得ステップと、
認証を行おうとするユーザの生体における、当該ユーザが選択した上記部位から生体情報を取得し、当該取得した生体情報に基づく個人認証情報を生成する個人認証情報生成ステップと、
取得した複数の上記登録認証情報に対して照合順位を割り当て、当該照合順位に従って各登録認証情報を順次個人認証情報と照合する照合ステップと、
上記登録認証情報が上記個人認証情報と一致した上記認証対象を、認証に成功した認証対象として外部に通知する通知ステップと
を具えることを特徴とする認証方法。
【発明の詳細な説明】
【技術分野】
【０００１】
本発明は認証装置及び認証方法に関し、例えば生体情報を用いた個人認証に適用して好適なものである。
【背景技術】
【０００２】
近年、指紋や静脈パターンのような個人の持つ生体情報を認証情報として用いることにより、従来のパスワードによる個人認証に比して安全性を格段に向上させたバイオメトリクス認証が実用化されている（例えば、特許文献１参照）。
【０００３】
かかるバイオメトリクス認証においては、予めユーザの生体情報から特徴量を抽出し、これをユーザの登録認証情報として登録しておく。そして個人認証を行う際は、認証を行おうとするユーザの生体情報から特徴量を抽出して個人認証情報を生成し、当該認証情報と登録されている登録認証情報とを照合し、両者が一致した場合、このユーザが登録された正当なユーザであると認証される。
【０００４】
生体情報は人体に固有かつ生涯不変であるため、当該生体情報に基づく個人認証情報を用いるバイオメトリクス認証は、個人を確実に特定して認証することができる。そして、クレジットカードやキャッシュカード等に対する認証において、上述したバイオメトリクス認証を適用したものがある。
【特許文献１】特開２００３−２４２４９２公報
【発明の開示】
【発明が解決しようとする課題】
【０００５】
ところで、現在、カードの内部にアンテナを内蔵し、カードリーダとの間で無線を介してデータ通信を行う非接触型ＩＣカードが普及している。かかる非接触型ＩＣカードは、当該カードをカードリーダに載置するだけで使用できるため、従来の磁気等を用いた接触型カードに比べ使い勝手が格段に向上している。
【０００６】
ところで、上述したバイオメトリクス認証を非接触型ＩＣカードに適用した場合、認証装置は非接触型ＩＣカードに登録されている登録認証情報と認証を行おうとするユーザの生体情報から特徴量を抽出した個人認証情報とを照合することになる。
【０００７】
ここで、複数枚の非接触型ＩＣカードに同一の登録認証情報が登録されている場合、複数枚の非接触型ＩＣカードが同時にカードリーダに載置されたとすると、認証装置は何れの非接触型ＩＣカードに対して認証を行うべきか判断できないという問題があった。
【０００８】
本発明は以上の点を考慮してなされたもので、複数の認証対象の中から、簡易な操作で的確に任意の認証対象を選択して認証処理を行うことができる認証装置及び認証方法を提案しようとするものである。
【課題を解決するための手段】
【０００９】
かかる課題を解決するため本発明においては、登録ユーザの生体における同一種類かつ異なる部位からそれぞれ得られる生体情報に基づく各認証対象個別の登録認証情報を取得する登録認証情報取得手段と、認証を行おうとするユーザの生体における、当該ユーザが選択した部位から生体情報を取得し、当該取得した生体情報に基づく個人認証情報を生成する個人認証情報生成手段と、取得した複数の登録認証情報に対して照合順位を割り当て、当該照合順位に従って各登録認証情報を順次個人認証情報と照合する照合手段と、登録認証情報が個人認証情報と一致した認証対象を、認証に成功した認証対象として外部に通知する通知手段とを認証装置に設けた。
【００１０】
これにより認証を行うユーザは、任意の認証対象に対応した生体部位を用いて認証操作を行うだけで、複数の認証対象の中から当該任意の認証対象を選択して認証を行うことができる。
【発明の効果】
【００１１】
本発明によれば、登録ユーザの生体における同一種類かつ異なる部位からそれぞれ得られる生体情報に基づく各認証対象個別の登録認証情報を取得する登録認証情報取得手段と、認証を行おうとするユーザの生体における、当該ユーザが選択した部位から生体情報を取得し、当該取得した生体情報に基づく個人認証情報を生成する個人認証情報生成手段と、取得した複数の登録認証情報に対して照合順位を割り当て、当該照合順位に従って各登録認証情報を順次個人認証情報と照合する照合手段と、登録認証情報が個人認証情報と一致した認証対象を、認証に成功した認証対象として外部に通知する通知手段とを認証装置に設けることにより、認証を行うユーザは、所望の認証対象に対応した生体部位を用いて認証操作を行うだけで、複数の認証対象の中から当該所望の認証対象を選択して認証を行うことができ、かくして、簡易な操作で複数の認証対象に対し的確に認証処理を行うことのできる認証装置及び認証方法を実現することができる。
【発明を実施するための最良の形態】
【００１２】
以下、図面について、本発明の一実施の形態を詳述する。
【００１３】
（１）認証装置の全体構成
図１において、１は全体として本実施の形態の認証装置を示し、筺体２の上面奥側にカードリーダ部３が設けられているとともに、当該カードリーダ部３の手前側には、ユーザに対する各種メッセージを表示するための表示部４と、当該ユーザによる操作を受け付けるための操作部５とが設けられている。
【００１４】
また筺体２の上面手前側には、ユーザがバイオメトリクス認証に用いる指（以下、これを認証指ＦＧと呼ぶ）を載置して位置決めするための略湾曲形状のガイド溝６が形成されているとともに、当該ガイド溝６の内側には撮像部７が設けられている。この撮像部７は、認証指ＦＧをガイド溝６に当接させた状態において当該認証指ＦＧの指腹部に正対するよう、ガイド溝６に対する位置が定められている。そして、撮像部７は指腹部に対して赤外線を照射し、その反射光に基づいて指腹内部の静脈画像を撮像する。
【００１５】
カードリーダ部３は、その上面に載置された非接触型ＩＣカードＣＡとの間で無線を介した非接触データ通信を行う。ここで、非接触型ＩＣカードＣＡは例えばクレジットカードでなり、各カード固有のカード番号ＣＮと、当該カードのユーザの静脈画像をパターン抽出処理して得られる静脈パターンでなる各カード固有の登録認証情報ＲＩとが予め記憶されて登録されている。なお各非接触型ＩＣカードＣＡには、それぞれ異なる指の静脈画像に基づく登録認証情報ＲＩが登録される。
【００１６】
図２に示すように認証装置１は、カードリーダ部３（図１）に載置された１枚又は複数枚の非接触型ＩＣカードＣＡ（ここでは３枚の非接触型ＩＣカードＣＡ１〜ＣＡ３）から、それぞれ登録認証情報ＲＩ（ＲＩ１〜ＲＩ３）及びカード番号ＣＮ（ＣＮ１〜ＣＮ３）を読み出すと共に、撮像部７（図１）によって認証指ＦＧにおける指腹部を撮像して生体情報としての静脈画像ＦＰを取得し、さらに当該静脈画像ＦＰに対してパターン抽出処理を施して個人認証情報ＰＩを生成する。
【００１７】
そして認証装置１は、各非接触型ＩＣカードＣＡから読み出した登録認証情報ＲＩと、認証指ＦＧから得た個人認証情報ＰＩとを照合してユーザの正当性を判定（個人認証）する。そして認証装置１は、これらが一致した非接触型ＩＣカードＣＡについて、ユーザの正当性が認められたものとして（認証ＯＫ）、そのカード番号ＣＮをケーブル１４（図８）を介して通知先の外部機器（図示せず）へ通知する。
【００１８】
この結果ＡＴＭ（automatic teller machine）等の外部機器は、通知されたカード番号ＣＮに基づいて非接触型ＩＣカードＣＡのユーザを特定し、当該特定したユーザに対して各種サービスを提供する。
【００１９】
（２）認証装置の及び非接触ＩＣカードの回路構成
図３に示すように認証装置１は、当該認証装置１の全体を統括的に制御するＣＰＵ（Central Processing Unit）１０に対し、当該ＣＰＵ１０が実行する基本プログラムや認証プログラムが格納されたＲＯＭ（Read Only Memory）１１と、プログラムのロード領域及びプログラム処理におけるワーク領域として用いられるＲＡＭ（Read Access Memory）１２と、カードリーダ部３と、撮像部７と、表示部４と、操作部５と、外部機器との間でデータ通信を行うネットワークインターフェース部１３とがバス１４を介して接続されている。カードリーダ部３はＣＰＵ１０の制御に応じて動作し、載置された非接触型ＩＣカードＣＡとの間で無線を介した非接触データ通信を行う。
【００２０】
カードリーダ部３は、その読み取り部に非接触型ＩＣカードＣＡが載置されたことを検出すると、これに応じてカード検出信号をＣＰＵ１０に供給する。ＣＰＵ１０はカード検出信号を受け取ると、これに応じてカードリーダ部３に載置されている各非接触型ＩＣカードＣＡに対して認証情報読出要求を送信する。
【００２１】
非接触型ＩＣカードＣＡは、当該非接触型ＩＣカードＣＡの全体の統括制御を行うＣＰＵ２０に対し、ＣＰＵ２０が実行するプログラムが格納されたＲＯＭ２１と、プログラムのロード領域及びプログラム処理におけるワーク領域として用いられるＲＡＭ２２と、登録認証情報ＲＩやカード番号ＣＮ等の各種情報を記憶するＥＥＰＲＯＭ（Electrically Erasable Programmable ROM）２３と、アンテナ２４を介してカードリーダ部ＣＡと無線通信を行うＲＦインターフェース部２５とがバス２６を介して接続されている。
【００２２】
非接触型ＩＣカードＣＡのＣＰＵ２０は、認証装置１からの認証情報読出要求に応じて、上述した登録認証情報ＲＩ及びカード番号ＣＮをＥＥＰＲＯＭ２３から読み出し、ＲＦインターフェース部２５及びアンテナ２４を介してカードリーダ部ＣＡに送信する。
【００２３】
認証装置１のＣＰＵ１０は認証プログラムに従い、各非接触型ＩＣカードＣＡから受信した登録認証情報ＲＩ及びカード番号ＣＮを、それぞれ対応付けてＲＡＭ２２に記憶する。これと平行してＣＰＵ１０は、撮像部７によって撮像された認証指ＦＧの静脈画像ＦＰに対してパターン抽出処理を施して静脈パターンでなる個人認証情報ＰＩを生成し、これをＲＡＭ２２に記憶する。そしてＣＰＵ１０は認証プログラムに従い、ＲＡＭ２２に記憶されている登録認証情報ＲＩと個人認証情報ＰＩとを順次照合してバイオメトリクス認証を行う。
【００２４】
（３）バイオメトリクス認証処理
次に、本発明の特徴である複数枚の非接触型ＩＣカードＣＡに対するバイオメトリクス認証を用いた認証処理手順を、図４に示すフローチャートを用いて説明する。
【００２５】
この認証処理においてユーザは、まず、使用しようとする認証対象となる非接触型ＩＣカードＣＡ（以下、これを使用カードと呼ぶ）をカードリーダ部３（図１）に載置する。このときユーザは、非接触型ＩＣカードＣＡを複数所有している場合、当該所有する複数のカードの中から使用カードを抜き出してカードリーダ部３に載置する必要はなく、当該手持ちの複数のカード全てを一括してカードリーダ部３に載置すればよい。
【００２６】
さらにユーザは、認証指ＦＧを選択してガイド溝６に載置し、当該認証指ＦＧの静脈画像ＦＰを撮像部７によって撮像させる。
【００２７】
認証装置１のＣＰＵ１０は、非接触型ＩＣカードＣＡがカードリーダ部３に載置されたことを検出すると、認証処理手順ルーチンＲＴ１の開始ステップから入って次のステップＳＰ１へ移り、撮像部７に対してユーザの認証指ＦＧを撮像するよう制御し、この結果として当該撮像部７から静脈画像ＦＰを取得すると次のステップＳＰ２に移る。
【００２８】
ステップＳＰ２においてＣＰＵ１０は、静脈画像ＦＰに対してパターン抽出処理を施して個人認証情報ＰＩを生成し、当該個人認証情報ＰＩをＲＡＭ１２に保存して次のステップＳＰ３へ移る。
【００２９】
ステップＳＰ３においてＣＰＵ１０は、カードリーダ部３に載置されている全ての非接触型ＩＣカードＣＡに対して無線通信を行い、各非接触型ＩＣカードＣＡのＥＥＰＲＯＭ３３に記憶されている登録認証情報ＲＩ及びカード番号ＣＮを読み出し、当該カード番号ＣＮと当該登録認証情報ＲＩとを対応付けてＲＡＭ１２に保存して、次のステップＳＰ４へ移る。
【００３０】
ステップＳＰ４においてＣＰＵ１０は、ＲＡＭ１２に記憶した各カード番号ＣＮに対し、予め定められた順位付けルールに従って照合順位を割り当てると共に、照合順位１番のカード番号ＣＮを最初の照合対象とし、次のステップＳＰ５へ移る。これによりＣＰＵ１０は、１番最初の照合対象を決定して認証処理を行う。なお、この順位付けルールには、カードリーダ部３が非接触型ＩＣカードＣＡを検出した順番や、あるいはカード番号ＣＮの数値の大小等、様々なルールを適用することができる。
【００３１】
ステップＳＰ５においてＣＰＵ１０は、ユーザの指ＦＧから生成した個人認証情報ＰＩと、照合順位により照合対象となっている非接触型ＩＣカードＣＡの登録認証情報ＲＩとをＲＡＭ１２から読み出して照合し、両者が一致したか否かを判定する。
【００３２】
ステップＳＰ５において肯定結果が得られた場合、このことは個人認証情報ＰＩと登録認証情報ＲＩとが一致したこと、すなわち撮像部７で撮像した認証指ＦＧが照合対象の非接触型ＩＣカードＣＡに対して登録されており、このユーザが当該照合対象の非接触型ＩＣカードＣＡの正当なユーザであることを表しており、このときＣＰＵ１０はステップＳＰ６へ移る。
【００３３】
ステップＳＰ６においてＣＰＵ１０は、例えば「認証結果はＯＫでした。カード番号１２３４−＊＊＊＊のカードを使用しますか？」というメッセージを表示部４に表示して、ユーザに対して認証が成功したことを通知するとともに、この認証が得られた非接触型ＩＣカードＣＡを使用するか否かの問いかけを行い、次のステップＳＰ７へ移る。
【００３４】
ここでユーザは、表示部４に表示されたメッセージに従い、この非接触型ＩＣカードＣＡカードを使用する場合には操作部５のＹＥＳボタンを押下操作し、使用しない場合には操作ボタンのＮＯボタンを押下操作することで、認証が得られた非接触型ＩＣカードＣＡの使用又は不使用を選択する。
【００３５】
ステップＳＰ７においてＣＰＵ１０は、この非接触型ＩＣカードＣＡに対するユーザの使用意思を確認するため、操作部５のＹＥＳボタン或いはＮＯボタンに対する操作を待ち受ける。ステップＳＰ７においてＹＥＳボタンが押下操作された場合、このことはユーザがこの非接触型ＩＣカードＣＡを使用する意思を示したことを表しており、このときＣＰＵ１０は次のステップＳＰ８へ移り、ケーブル１４に接続されている外部機器に対し、この認証が得られた非接触型ＩＣカードＣＡのカード番号ＣＮを通知した後、次のステップＳＰ１０へ移って認証処理手順を終了する。
【００３６】
これに対して、ステップＳＰ７において操作部５のＮＯボタンが押下操作された場合、このことはユーザがこの非接触型ＩＣカードＣＡを使用しない意思を示したことを表しており、このときＣＰＵ１０は、この認証が得られた非接触型ＩＣカードＣＡについて、例えば「カード番号１２３４−＊＊＊＊のカードの使用を取り消します。」という旨のメッセージを表示部４に表示して、ステップＳＰ９へ移る。
【００３７】
ステップＳＰ９においてＣＰＵ１０は、例えば「認証に用いる指を変更しますか？」という旨のメッセージを表示部４に表示した後、操作部５のＹＥＳボタン或いはＮＯボタンに対する押下操作を待ち受ける。ステップＳＰ９においてＹＥＳボタンが押下操作された場合、このことはユーザが認証指ＦＧを変更して認証を継続する意思を示したことを表しており、このときＣＰＵ１０はステップＳＰ１へ戻り、変更後の新たな認証指ＦＧから改めて静脈画像ＦＰを取得した後、ステップＳＰ２以降の処理を繰り返す。
【００３８】
これに対して、ステップＳＰ９においてＮＯボタンが押下操作された場合、このことはユーザがカードリーダ部３に載置された全ての非接触型ＩＣカードＣＡについて認証することを中止する意思を示したことを表しており、このときＣＰＵ１０は次のステップＳＰ１０へ移って認証処理手順を終了する。
【００３９】
一方、ステップＳＰ５において否定結果が得られた場合、このことは認証指ＦＧの個人認証情報ＰＩと照合対象の非接触型ＩＣカードＣＡの登録認証情報ＲＩとが一致していないことを表しており、このときＣＰＵ１０は次のステップＳＰ１１へ移る。
【００４０】
ステップＳＰ１１においてＣＰＵ１０は、カード番号に割り当てた照合順位に基づいて、未照合の非接触型ＩＣカードＣＡの有無について判定する。ここで肯定結果が得られた場合、このことはまだ照合していない非接触型ＩＣカードＣＡがあることを表しており、このときＣＰＵ１０は次のステップＳＰ１２へ移る。
【００４１】
ステップＳＰ１２においてＣＰＵ１０は、次の照合順位に該当する非接触型ＩＣカードＣＡを照合対象に変更してステップＳＰ５に戻り、新たに照合対象となった非接触型ＩＣカードＣＡの登録認証情報ＲＩと、個人認証情報ＰＩとを照合する。これによりＣＰＵ１０は、照合順位に従って、複数の非接触型ＩＣカードＣＡに対して順次認証を行い得るようになされている。
【００４２】
これに対して、ステップＳＰ１１において否定結果が得られた場合、このことは照合した全ての非接触型ＩＣカードＣＡについて登録認証情報ＲＩと個人認証情報ＰＩとが一致しなかったことを表しており、このときＣＰＵ１０はステップＳＰ１３へ移る。
【００４３】
ステップＳＰ１３においてＣＰＵ１０は、例えば「照合結果はＮＧでした。認証した指は何れのカードにも登録されておりません。認証に用いる指を変更しますか？」という旨のメッセージを表示部４に表示して、認証結果が一致しない旨の通知を行うと共に、ユーザに対して認証指ＦＧを変更するか否かの問いかけを行い、次のステップＳＰ１４へ移る。
【００４４】
ここでユーザは、表示部４に表示されたメッセージに従い、認証指ＦＧを変更して認証処理を継続する場合には操作部５のＹＥＳボタンを押下操作し、認証指ＦＧを変更しないで当該非接触型ＩＣカードＣＡの認証を終了する場合にはＮＯボタンを押下操作することで、認証指ＦＧの変更の有無を選択する。
【００４５】
ステップＳＰ１４においてＣＰＵ１０は、ユーザによる認証指ＦＧの変更の有無を確認するため、操作部５のＹＥＳボタン或いはＮＯボタンに対する押下操作を待ち受ける。ステップＳＰ１４においてＹＥＳボタンが押下操作された場合、このことはユーザが認証指ＦＧを変更して認証を継続する意思を示したことを表しており、このときＣＰＵ１０はステップＳＰ１へ戻り、変更された新たな認証指ＦＧから改めて静脈画像ＦＰを取得した後、ステップＳＰ２以降の処理を繰り返す。
【００４６】
これに対して、ステップＳＰ１４においてＮＯボタンが押下操作された場合、このことはユーザがこのまま認証処理を終了する意思を示したことを表しており、このときＣＰＵ１０はステップＳＰ１０へ移って認証処理手順を終了する。
【００４７】
かくしてユーザは、使用しようとするカードに登録されている認証指ＦＧを選択してガイド溝６に載置するだけで、手持ちの複数の非接触型ＩＣカードＣＡのうち当該使用しようとするカードに対して認証を行わせることができるとともに、操作部５の押下操作によって使用する認証指ＦＧを変更し、他のカードに対して認証を行わせることができる。
【００４８】
（４）動作及び効果
以上の構成において、この認証装置１は、カードリーダ部３に載置された複数の非接触型ＩＣカードＣＡからそれぞれカード番号ＣＮ及び登録認証情報ＲＩを読み出すと共に、ユーザの認証指ＦＧから静脈画像ＦＰを取得し、当該静脈画像ＦＰに対してパターン抽出処理を施して個人認証情報ＰＩを生成する。
【００４９】
そして認証装置１は、読み出したカード番号ＣＮに対して照合順位を割り当て、この照合順位に従って、各非接触型ＩＣカードＣＡの登録認証情報ＲＩと個人認証情報ＰＩとを順次照合していき、登録認証情報ＲＩと個人認証情報ＰＩとが一致した場合、当該個人認証情報ＰＩのユーザを正当なユーザと認証し、接続されている外部機器に対して当該非接触型ＩＣカードＣＡのカード番号ＣＮを通知する。
【００５０】
これによりユーザは、使用する認証指ＦＧを変更するだけで、認証対象となる非接触型ＩＣカードＣＡを選択して認証を行うことができる。
【００５１】
またユーザは、非接触型ＩＣカードＣＡを複数所有する場合でも、所有する複数のカードの中から使用カードを抜き出してカードリーダ部３に載置する必要がなく、当該手持ちの複数のカード全てを一括してカードリーダ部３に載置するだけで、認証指ＦＧに対応する非接触型ＩＣカードＣＡに対して認証を行うことができる。
【００５２】
以上の構成によれば、ユーザは認証指ＦＧを選択するだけで、複数枚の非接触型ＩＣカードＣＡの中から当該認証指ＦＧに対応する非接触型ＩＣカードＣＡを選択して認証することができ、かくして、簡易な操作でカードに対する認証を行うことができる。
【００５３】
（５）他の実施の形態
なお上述の実施の形態においては、各非接触型ＩＣカードＣＡにそれぞれ登録認証情報ＲＩを記憶しておき、認証装置１が当該非接触型ＩＣカードＣＡから登録認証情報ＲＩを読み出して個人認証情報ＰＩと照合するようにしたが、本発明はこれに限らず、各非接触型ＩＣカードＣＡについての登録認証情報ＲＩを一括して認証サーバに登録しておき、認証装置１で得られた個人認証情報ＰＩを認証サーバに送信し当該認証サーバ上で照合するようにしてもよい。
【００５４】
この場合、認証サーバには、各非接触型ＩＣカードＣＡのカード番号ＣＮと登録認証情報ＲＩとが対応づけられてデータベース化されて記憶されている。認証装置は、カードリーダ部に載置された各非接触型ＩＣカードＣＡからそれぞれカード番号ＣＮを読み出し、ユーザの認証指ＦＧから得た個人認証情報ＰＩと共に認証サーバへ送出する。
【００５５】
認証サーバは、認証装置から送出されたカード番号ＣＮに対応付けられた登録認証情報ＲＩをデータベースから読み出し、当該登録認証情報ＲＩと個人認証情報ＰＩとを照合する。
【００５６】
また上述の実施の形態においては、１枚の非接触型ＩＣカードＣＡに対し、１本の認証指ＦＧに基づく１つの登録認証情報ＲＩを登録するようにした場合について述べたが、本発明はこれに限らず、１枚の非接触型ＩＣカードＣＡに対して、複数の認証指ＦＧに基づく複数の登録認証情報ＲＩを登録するようにしてもよい。
【００５７】
これにより例えば、怪我をした等の理由によってある登録指ＦＧを使用できない場合でも、非接触型ＩＣカードＣＡに登録されている複数の登録認証情報ＲＩのうち、他のいずれかの登録認証情報ＲＩと対応する認証指ＦＧを用いて認証を行うことができる。
【００５８】
また上述の実施の形態においては、ユーザの静脈を用いてバイオメトリクス認証を行うようにした場合について述べたが、本発明はこれに限らず、指紋や虹彩（アイリス）など、人体に２つ以上ある同一部位の生体情報を用いてバイオメトリクス認証を行うようにしてもよい。
【００５９】
また上述の実施の形態において認証装置１は、１本の認証指ＦＧに基づく個人認証情報ＰＩによって非接触型ＩＣカードＣＡに対する認証が成立した場合、認証処理を終了するようにしたが、本発明はこれに限らず、さらに異なる認証指ＦＧを用いて他の非接触型ＩＣカードＣＡに対する認証処理を継続しても良い。
【００６０】
このような複数枚の非接触型ＩＣカードＣＡに対する連続認証は、例えば複数の銀行口座間における振込操作に適用することができる。この場合、例えば最初に認証が成立した銀行キャッシュカードの口座を出金元として割り当て、次に認証が成立した銀行キャッシュカードの口座を振込先として割り当てるようにする。
【００６１】
これによりユーザは、振込を行う際、所有する複数枚の非接触型ＩＣカードＣＡをカードリーダ部３に一括して載置し、まず出金元の銀行キャッシュカードに対応する登録指ＦＧを用いて認証を行った後、振込先の銀行キャッシュカードに対応する登録指ＦＧを用いて認証を行うだけで、出金元及び振込先のカードを選択して載置することなく、簡易な操作で複数のカード間での振込を行うことができる。
【００６２】
さらに上述の実施の形態においては、本発明を非接触型ＩＣカードＣＡに対応した認証装置１に適用した場合について述べたが、本発明はこれに限らず、接触型カードに対応した認証装置に適用することもできる。
【００６３】
この場合、上述した複数のカード間での振込操作において、ユーザは出金元のカード及び振込先のカードをその順序を気にすることなく認証装置の挿入口に挿入し、出金元の銀行キャッシュカードに対応する登録指ＦＧを用いて認証を行った後、振込先の銀行キャッシュカードに対応する登録指ＦＧを用いて認証を行うことで、簡易な操作で複数のカード間での振込を行うことができる。
【００６４】
さらに上述の実施の形態においては、複数の非接触型ＩＣカードＣＡに対し、ＣＰＵ１０が予め定められた順位付けルールに従って照合順位を割り当て、当該照合順位に従って順次認証を行うようにしたが、本発明はこれに限らず、使用する頻度の高い非接触型ＩＣカードＣＡに対して早い順位を割り当てるなど、ユーザが任意に照合順位を割り当るようにしてもよい。
【産業上の利用可能性】
【００６５】
本発明は、キャッシュカードやクレジットカード等に対する認証に適用することができる。
【図面の簡単な説明】
【００６６】
【図１】本実施の形態による認証装置の全体構成を示す略線図である。
【図２】本発明による複数枚のカードに対する認証の概念を示す略線図である。
【図３】認証装置及び非接触型ＩＣカードの構成を示すブロック図である。
【図４】本発明の認証処理手順を示すフローチャートである。
【符号の説明】
【００６７】
１……認証装置、２……筺体、３……カードリーダ部、４……表示部、５……操作部、６……ガイド溝、７……撮像部、８……ケーブル、１０……ＣＰＵ、１１……ＲＯＭ、１２……ＲＡＭ、１３……ネットワークインターフェース部、１４……バス、２０……ＣＰＵ、２１……ＲＯＭ、２２……ＲＡＭ、２３……ＥＥＰＲＯＭ、２４……ＲＦインターフェース部、２５……アンテナ、ＣＡ……非接触型ＩＣカード。
【図１】
2007034521.tif 000003
【図２】
2007034521.tif 000004
【図３】
2007034521.tif 000005
【図４】
2007034521.tif 000006